(57)【要約】【課題】係止部材が折損しても、その折損した係止部材を容易に取り外して新しいもの交換し、係止部材以外の本体をそのまま使用することができる先端工具を提供すること。【解決手段】携帯用工具に着脱可能であって、本体２に、該本体２から一部が突出するピン（係止部材）３を挿入保持して構成されるホイルナット取り外し用ソケット（先端工具）１先端工具において、前記本体２に貫通するピン孔（孔部）４を形成し、該ピン孔４に前記ピン３を一方向から挿入して係止するとともに、その先端部を本体２から突出させ、前記本体２に着脱可能に固定された金属ワッシャ（固定部材）５によって前記ピン３の反挿入側端部を押さえて該ピン３の軸方向移動を規制する。ここで、金属ワッシャ５を本体２の軸部２Ａに嵌着されたＯリング（弾性リング）６によって着脱可能に固定する。【選択図】図１
2008284650.tif 000002
【特許請求の範囲】
【請求項１】
携帯用工具に着脱可能であって、本体に、該本体から一部が突出する係止部材を挿入保持して構成される先端工具において、
前記本体に貫通する孔部を形成し、該孔部に前記係止部材を一方向から挿入して係止するとともに、その先端部を本体から突出させ、前記本体に着脱可能に固定された固定部材によって前記係止部材の反挿入側端部を押さえて該係止部材の軸方向移動を規制したことを特徴とする先端工具。
【請求項２】
前記係止部材を大小異径の段付ピンで構成するとともに、前記本体の孔部を大小異径の段付孔とし、該段付孔に前記段付ピンを一方向から挿入して係止することを特徴とする請求項１記載の先端工具。
【請求項３】
前記固定部材を金属ワッシャで構成するとともに、該金属ワッシャを前記本体に着脱可能に嵌着された弾性リングによって本体に固定することを特徴とする請求項１又は２記載の先端工具。
【発明の詳細な説明】
【技術分野】
【０００１】
本発明は、携帯用工具に着脱可能に装着して使用されるホイルナット取り外し用ソケット等の先端工具に関するものである。
【背景技術】
【０００２】
例えば、電動モータを駆動源としてコンクリートやタイル等を切断する携帯用工具の一形態としてカッターは、図５に示すように、ディスクグラインダ５０の回転軸に円板状のダイヤモンドカッター５１をホイルナット５２で結合して使用されることがある。この場合、ダイヤモンドカッター５１のディスクグラインダ５０に対する着脱は、ホイルナット５２に形成された４つの穴部５２ａの例えば２つに嵌合するピンを備えたピン付スパナ（不図示）を用いてホイルナット５２を手動で回すことによってなされていた。
【０００３】
ところが、ホイルナット５２はディスクグラインダ５０に締り勝手に（回転方向に締るように）締め付けられているため、ダイヤモンドカッター５１を回転駆動して切断作業を進めていくと、ホイルナット５２の締付トルクが大きくなり、ダイヤモンドカッター５１を取り外す場合にピン付スパナでホイルナット５２を手動で緩めることができない場合があった。
【０００４】
そこで、図５及び図６に示すように、先端工具としてのホイルナット取り外し用ソケット１１をインパクトドライバ１００の先端工具保持部１０１に装着し、図５に示すホイルナット取り外し用ソケット１１に突設された２本のピン１３をホイルナット５２の穴部５２ａに嵌合させ、図７に示すように、一方の手（左手）でディスクグラインダ５０を持ち、他方の手（右手）でインパクトドライバ１００を持って該インパクトドライバ１００を駆動し、インパクトドライバ１００の回転打撃力をホイルナット取り外し用ソケット１１からホイルナット５２に伝達して該ホイルナット５２を緩めることが作業現場で行われている。
【０００５】
ここで、従来のホイルナット取り外し用ソケットの構成を図８及び図９に示す。
【０００６】
図８及び図９は従来のホイルナット取り外し用ソケット１１，１１’の半裁断面図であり、図８に示すホイルナット取り外し用ソケット１１は、ソケット本体１２のフランジ部１２Ｂに２つの円穴１４を形成し、これらの円穴１４にピン１３を圧入することによって構成されていた。又、図９に示すホイルナット取り外し用ソケット１１’は、ソケット本体１２’のフランジ部１２Ｂ’に２つの円孔１４’を貫設し、これらの円孔１４’にピン１３’を圧入によって挿通することによって構成されていた。
【０００７】
ところで、特許文献１には、回り止め用の係止ピンを治具ブロックの複数箇所（機種の異なる複数の被締結部材の係合凹所に対応する箇所）に出没可能に設け、各係止ピンを圧縮バネで突出方向に付勢して成る締付装置が提案されている。この締付装置によれば、被締結部材の係合凹所の位置に対応する係止ピンが係合凹所に嵌合し、他の係止ピンは被締結部材の端面に押されて治具ブロック内に没するため、当該締付装置を異なる機種の被締結部材に対して共用することができる。
【特許文献１】特開２００１−０４７３７４号公報
【発明の開示】
【発明が解決しようとする課題】
【０００８】
ところで、例えば図８に示す従来のホイルナット取り外し用ソケット１１を用いてホイルナット５２を緩める際、インパクトドライバ１００の回転打撃力が大きく、ピン１３の強度が不足している場合には、該ピン１３が図１０に示すように折損してしまう。このような場合、従来のホイルナット取り外し用ソケット１１のソケット本体１２にはピン１３が圧入されているため、専用治具等を用いなければ、折損したピン１３を抜き取って新しいものと交換することができず、ホイルナット取り外し用ソケット１１全体を交換せざるを得ず、不経済であった。又、図９に示す従来のホイルナット取り外し用ソケット１１’を用いてホイルナット５２を緩める場合にも同様の問題が発生していた。
【０００９】
これに対して、特許文献１に記載された締付装置においては、係止ピンが折損した場合には、折損したピンを取り外して新しいものと交換することは可能であるが、係止ピンは軸方向に移動可能に保持されているため、当該締付装置をホイルナット取り外し用ソケットとして使用する場合には、ホイルナットの粉塵が溜った穴部に係止ピンを常に確実に嵌合させることは不可能である。
【００１０】
本発明は上記問題に鑑みてなされたもので、その目的とする処は、係止部材が折損しても、その折損した係止部材を容易に取り外して新しいもの交換し、係止部材以外の本体をそのまま使用することができる先端工具を提供することにある。
【課題を解決するための手段】
【００１１】
上記目的を達成するため、請求項１記載の発明は、携帯用工具に着脱可能であって、本体に、該本体から一部が突出する係止部材を挿入保持して構成される先端工具において、
前記本体に貫通する孔部を形成し、該孔部に前記係止部材を一方向から挿入して係止するとともに、その先端部を本体から突出させ、前記本体に着脱可能に固定された固定部材によって前記係止部材の反挿入側端部を押さえて該係止部材の軸方向移動を規制したことを特徴とする。
【００１２】
請求項２記載の発明は、請求項１記載の発明において、前記係止部材を大小異径の段付ピンで構成するとともに、前記本体の孔部を大小異径の段付孔とし、該段付孔に前記段付ピンを一方向から挿入して係止することを特徴とする。
【００１３】
請求項３記載の発明は、請求項１又は２記載の発明において、前記固定部材を金属ワッシャで構成するとともに、該金属ワッシャを前記本体に着脱可能に嵌着された弾性リングによって本体に固定することを特徴とする。
【発明の効果】
【００１４】
請求項１記載の発明によれば、ピン等の係止部材が折損した場合には、該係止部材の端面に当接する固定部材を先端工具本体から取り外せば、折損した係止部材を孔部から抜き取ってその孔部に新しい係止部材を挿入することができる。その後、固定部材を先端工具本体に装着すれば、専用治具等を用いることなく係止部材の交換が容易になされ、係止部材の反挿入側端面が固定部材によって押さえられて軸方向移動が規制され、先端工具をそのまま再び使用することができ、その全体を交換する必要がないために経済的である。
【００１５】
又、係止部材は、その反挿入側端面が固定部材によって押さえられて軸方向移動が規制されているため、先端工具を例えばホイルナットを緩めるためのホイルナット取り外し用ソケットとして使用する場合等には、ホイルナットの粉塵が溜った穴部に係止部材を常に確実に嵌合させることができ、所要の作業を安定的に行うことができる。
【００１６】
請求項２記載の発明によれば、係止部材を大小異径の段付ピンで構成するとともに、先端工具本体の孔部を大小異径の段付孔とし、該段付孔に前記段付ピンを一方向から挿入して係止するようにしたため、段付ピンを段付孔内で確実に係止することができる。
【００１７】
請求項３記載の発明によれば、弾性リングによって金属ワッシャを係止部材側に付勢した状態で先端工具本体に固定することができるため、係止部材が軸方向にガタ無く確実に固定され、該係止部材をホイルナット等の相手部材の穴部に常に確実に嵌合させて所要の作業を安定的に行うことができる。
【発明を実施するための最良の形態】
【００１８】
以下に本発明の実施の形態を添付図面に基づいて説明する。
【００１９】
図１は本発明に係る先端工具の一形態としてのホイルナット取り外し用ソケットの半裁断面図であり、図示のホイルナット取り外し用ソケット（以下、単に「ソケット」と称する）１は、その本体２が小径の細長い軸部２Ａと、該軸部２Ａの一端に一体に形成された大径の円柱状フランジ部２Ｂとで構成されており、フランジ部２Ｂの外周部の相対向する２箇所には孔部としてのピン孔４が軸方向（図１の左右方向）に貫通するよう形成されている。
【００２０】
そして、ソケット１のフランジ部２Ｂに形成された各ピン孔４には係止部材としてのピン３が挿入されて係止されており、該ピン３の先端部はフランジ部２Ｂの端面から軸方向に突出している。ここで、前記ピン孔４は大小異径の段付孔として形成され、ピン３は大小異径の段付ピンで構成されており、該ピン３は、その小径部を先にしてフランジ部２Ｂのピン孔４に挿入すると、その段部３ａがピン孔４の段部４ａに当接して係止され、該ピン３の先端部が図示のようにフランジ部２Ｂの端面から所定量だけ突出する。
【００２１】
上述のようにして２本のピン３がソケット本体２のフランジ部２Ｂのピン孔４に挿入されて係止されると、次に、固定部材としての金属ワッシャ５をソケット本体２の軸部２Ａに通し、これをピン３の反挿入側端面に当て、軸部２Ａのフランジ部２Ｂに近い基端部外周に弾性リングとしてのＯリング６を嵌着することによって金属ワッシャ５を軸部２Ａの外周に固定する。このとき、Ｏリング６は、金属ワッシャ５との間で軸方向に押し潰された状態で軸部２Ａの外周に嵌着されるため、金属ワッシャ５はＯリング６によってピン３側に常時付勢された状態で固定される。このため、ピン３は軸方向にガタ無く確実に固定され、その軸方向移動が規制される。
【００２２】
以上のように構成されたソケット１は、図５及び図６に示すように、その軸部２Ａがインパクトドライバ１００の先端工具保持部１０１に装着されて使用される。即ち、ソケット１は、図５に示すディスクグラインダ５０のダイヤモンドカッター５１を取り外す場合等において、ダンヤモンドカッター５１を固定しているホイルナット５２に形成された４つの穴部５２ａのうちの相対向する２つにピン３を嵌合させ、図７に示すように、一方の手（左手）でディスクグラインダ５０を持ち、他方の手（右手）でインパクトドライバ１００を持って該インパクトドライバ１００を駆動し、インパクトドライバ１００の回転打撃力をホイルナット５２に伝達して該ホイルナット５２を緩めるために使用される。
【００２３】
ところで、上述のようにソケット１を用いてホイルナット５２を緩める際、インパクトドライバ１００の回転打撃力が大きく、ピン３の強度が不足している場合には、該ピン３が図２に示すように折損する場合があるが、このような場合には、以下のようにして折損したピン３をピン孔４から容易に抜き取り、これを新しいピン３と交換することができる。
【００２４】
即ち、図３に示すようにＯリング６をソケット本体２の軸部２Ａから外し、ピン３の端面に当接する金属ワッシャ５をソケット本体２から取り外せば、折損したピン２をピン孔４から反挿入方向に容易に抜き取ることができる。そして、ピン３が抜き取られたピン孔４に図４に示すように新しいピン３を挿入し、金属ワッシャ５をソケット本体２の軸部２Ａに通した後、Ｏリング６をソケット本体２の軸部２Ａの外周に嵌着して金属ワッシャ６を軸部に固定すれば、ピン３の反挿入側端面が金属ワッシャ５によって押さえられて軸方向移動が規制され、専用治具等を用いることなくピン３の交換が容易になされ、ソケット１を再び使用することができる。
【００２５】
従って、本実施の形態に係るソケット１によれば、その全体を新しいものと交換する必要がなく、折損したピン３のみを新しいものと交換するのみで済み、ピン３以外の部品はそのまま再使用することができるために非常に経済的である。
【００２６】
又、ピン３は、その反挿入側端面が金属ワッシャ５によって押さえられて軸方向移動が規制されているため、本実施の形態のようにソケット１をホイルナット５２を緩めるために使用する場合には、ホイルナット５２の粉塵が溜った穴部５２ａにピン３を常に確実に嵌合させることができ、所要の作業を安定的に行うことができる。特に、本実施の形態では、Ｏリング６によって金属ワッシャ５をピン３側に付勢した状態でソケット本体２に固定することができるため、ピン３が軸方向にガタ無く確実に固定され、該ピン３をホイルナット５２の穴部５２ａに常に確実に嵌合させることができる。
【００２７】
更に、本実施の形態では、ピン３を大小異径の段付ピンで構成するとともに、ソケット本体２のピン孔４を大小異径の段付孔とし、該ピン孔４にピン３を一方向から挿入して両者の段部３ａ，４ａで係止するようにしたため、ピン３をピン孔４内で確実に係止することができる。
【００２８】
尚、以上の実施の形態では、先端工具に挿通保持される係止部材として特にピンを用いた例について説明したが、係止部材としてはピン以外の任意のものを使用することができる。又、以上は本発明に係る先端工具をインパクトドライバに装着してホイルナット取り外し用ソケットとして使用する形態について説明したが、本発明は、その他任意の携帯用工具に着脱可能に装着して使用される任意の先端工具に対しても同様に適用可能であることは勿論である。
【図面の簡単な説明】
【００２９】
【図１】本発明に係るホイルナット取り外し用ソケットの半裁断面図である。
【図２】本発明に係るホイルナット取り外し用ソケットのピンが折損した状態を示す半裁断面図である。
【図３】本発明に係るホイルナット取り外し用ソケットにおいて折損したピンを取り外す状態を示す半裁断面図である。
【図４】本発明に係るホイルナット取り外し用ソケットにおいて新しいピンを取り付ける状態を示す半裁断面図である。
【図５】インパクトドライバに装着された従来のホイルナット取り外し用ソケットのホイルナットへの嵌合状態を示す部分斜視図である。
【図６】従来のホイルナット取り外し用ソケットのインパクトドライバに装着する状態を示す部分側面図である。
【図７】従来のホイルナット取り外し用ソケットをインパクトドライバに装着してホイルナットを緩める作業を示す斜視図である。
【図８】従来のホイルナット取り外し用ソケットの半裁断面図である。
【図９】従来のホイルナット取り外し用ソケットの半裁断面図である。
【図１０】従来のホイルナット取り外し用ソケットのピンが折損した状態を示す半裁断面図である。
【符号の説明】
【００３０】
１        ホイルナット取り外し用ソケット（先端工具）
２        ソケット本体（先端工具本体）
２Ａ      ソケット本体の軸部
２Ｂ      ソケット本体のフランジ部
３        ピン（係止部材）
３ａ      ピンの段部
４        ピン孔（孔部）
４ａ      ピン孔の段部
５        金属ワッシャ（固定部材）
６        Ｏリング（弾性リング）
５０      ディスクグラインダ
５１      ダイヤモンドカッター
５２      ホイルナット
５２ａ    ホイルナットの穴部
１００    インパクトドライバ
１０１    インパクトドライバの先端工具保持部
【図１】
2008284650.tif 000003
【図２】
2008284650.tif 000004
【図３】
2008284650.tif 000005
【図４】
2008284650.tif 000006
【図５】
2008284650.tif 000007
【図６】
2008284650.tif 000008
【図７】
2008284650.tif 000009
【図８】
2008284650.tif 000010
【図９】
2008284650.tif 000011
【図１０】
2008284650.tif 000012